(57)【要約】      （修正有） 【課題】カプセルでは販売が難しかったシート状商品を綺麗な状態で販売することが出来る取出装置を提供する。【解決手段】正面に広告、取出口及びメック挿通孔を備え、背面に背面扉を備えた本体と、本体のメック挿通孔に取付けられるメックと、本体の各部屋に設置される商品ホルダーと、二枚の板を重ねて一辺同士を連結し、板同士の間に商品を挟んで商品ホルダーに積重ねて格納される商品ケースとからなる。メックのＬ字プレートの起立部分が商品ホルダーの第二ガイドの脚間に係止され、メックのスライド部を本体の背面側へ押すことで、第二ガイド及び第二ガイドに連結されているガイドプレート並びに商品ホルダーの第一ガイドが同方向に移動し、同時に積み重ねられて一番下に位置する商品ケースの背面にガイドプレートの正面側の辺が係止され、スライド部を元の位置に引戻す時にガイドプレートが商品ケースを取出口から押出す。【選択図】図１
0003172409.tif 000002
【実用新案登録請求の範囲】
【請求項１】
正面には広告と商品の取出口及びメック挿通孔を備え、背面には背面扉を備えた本体と、長手方向の両側面が起立し背面に取付板を備えたガイド枠、前記ガイド枠内に前後にスライド可能に設置され後端部を前記取付板の後方から突出させて突出板とし上面中央部に硬貨投入孔を備えたスライド部、及び前記突出板の後端の上面に上方に向かって取付けたＬ字プレートからなり、前記本体のメック挿通孔に取り付けられるメックと、略長方形状の２つのスライド孔を平行且つ間隔をおいて形成した平板状の台座部、前記台座部の対向する各側辺から垂下する金庫設置枠、上面、底面及び背面がない枠で、正面の下部に間隙を設けて前記台座部の上面に垂設される２つの商品設置枠、前記スライド孔の上面にスライド孔と交差して設置される略長方形状のガイドプレート、前記スライド孔の下面の前記ガイドプレートと重なる位置に設置され前記ガイドプレートと連結される第一ガイド、前記第一ガイドの下に重ねられ四隅に下方に向かって垂直に脚を設け前記第一ガイドと共に前記ガイドプレートに連結される第二ガイド、及び前記金庫設置枠にスライド可能に設置される金庫とからなり前記本体の各部屋に設置される商品ホルダーと、二枚の板を重ねて一辺同士を連結し、前記板同士の間に前記商品を挟んで前記商品ホルダー６に積み重ねて格納される商品ケースとからなり、前記Ｌ字プレートの起立部分が前記第二ガイドの脚間に係止され、前記スライド部を前記本体の背面側へ押すことにより、前記第二ガイド及び前記第二ガイドに連結されている前記ガイドプレート並びに第一ガイドが同方向に移動し、同時に積み重ねられて一番下に位置する前記商品ケースの背面に前記ガイドプレートの正面側の辺が係止され、前記スライド部を元の位置に引き戻すときに前記ガイドプレートが前記商品ケースを前記取出口から押し出すことを特徴とするシート状商品の取出装置。
【考案の詳細な説明】
【技術分野】
【０００１】  本考案は、シート状の商品を販売する取出装置に関する。
【背景技術】
【０００２】  従来、玩具を販売する装置として、硬貨を投入し、ハンドルを回転させると玩具が収納された小型のカプセルが排出される販売装置があった。【０００３】  しかしながら、上記のような販売装置で写真やステッカーなどのシート状の玩具を販売するには、カプセル内に折り畳んだり、丸めたりして収納しなければならず、販売できる大きさに限界があり、写真やシール等は、内部が見えない袋に収納された状態で購入者が任意に選択するような方法で販売されていた。
【先行技術文献】
【特許文献】
【０００４】
【特許文献１】特開２００７−２２６８３７号公報
【考案の概要】
【考案が解決しようとする課題】
【０００５】  そこで、本考案は、従来のようなカプセルでは販売することが出来なかった大きさの写真やステッカー等のシート状商品を折り目や丸めることなく綺麗な状態で販売することが出来るシート状商品の取出装置を提供する。
【課題を解決するための手段】
【０００６】  本考案は、上記の課題を解決するために、正面には広告と商品の取出口及びメック挿通孔を備え、背面には背面扉を備えた本体と、長手方向の両側面が起立し背面に取付板を備えたガイド枠、前記ガイド枠内に前後にスライド可能に設置され後端部を前記取付板の後方から突出させて突出板とし上面中央部に硬貨投入孔を備えたスライド部、及び前記突出板の後端の上面に上方に向かって取付けたＬ字プレートからなり、前記本体のメック挿通孔に取り付けられるメックと、略長方形状の２つのスライド孔を平行且つ間隔をおいて形成した平板状の台座部、前記台座部の対向する各側辺から垂下する金庫設置枠、上面、底面及び背面がない枠で、正面の下部に間隙を設けて前記台座部の上面に垂設される２つの商品設置枠、前記スライド孔の上面にスライド孔と交差して設置される略長方形状のガイドプレート、前記スライド孔の下面の前記ガイドプレートと重なる位置に設置され前記ガイドプレートと連結される第一ガイド、前記第一ガイドの下に重ねられ四隅に下方に向かって垂直に脚を設け前記第一ガイドと共に前記ガイドプレートに連結され第二ガイド、及び前記金庫設置枠にスライド可能に設置される金庫とからなり前記本体の各部屋に設置される商品ホルダーと、二枚の板を重ねて一辺同士を連結し、前記板同士の間に前記商品を挟んで前記商品ホルダー６に積み重ねて格納される商品ケースとからなり、前記Ｌ字プレートの起立部分が前記第二ガイドの脚間に係止され、前記スライド部を前記本体の背面側へ押すことにより、前記第二ガイド及び前記第二ガイドに連結されている前記ガイドプレート並びに第一ガイドが同方向に移動し、同時に積み重ねられて一番下に位置する前記商品ケースの背面に前記ガイドプレートの正面側の辺が係止され、前記スライド部を元の位置に引き戻すときに前記ガイドプレートが前記商品ケースを前記取出口から押し出すことを特徴とするシート状商品の取出装置の構成とした。
【考案の効果】
【０００７】  本考案は上記のような構成であるため、従来のカプセル販売では不可能であった大きさの写真やシール等のシート状商品を折り目や丸めることなく綺麗な状態で販売することが出来る。
【図面の簡単な説明】
【０００８】
【図１】本考案であるシート状商品の取出装置の斜視図である。
【図２】本考案であるシート状商品の取出装置の背面側上部の斜視図である。
【図３】本考案であるシート状商品の取出装置の商品ホルダーの背面側斜視図である。
【図４】本考案であるシート状商品の取出装置の商品ホルダーの正面側斜視図である。
【図５】本考案であるシート状商品の取出装置の背面扉に取り付ける鍵の分解図である。
【図６】本考案であるシート状商品の取出装置の金庫に取り付ける鍵の分解図である。
【図７】本考案であるシート状商品の取出装置の背面側から見た斜視図及び一部拡大図である。
【図８】本考案であるシート状商品の取出装置の背面側から見た斜視図及び一部拡大図である。
【図９】本考案であるシート状商品の取出装置の背面側上部の斜視図及び正面側上部の斜視図である。
【考案を実施するための形態】
【０００９】  以下、添付の図面を参照し、本考案の実施の形態について詳細に説明する。
【実施例１】
【００１０】  図１は本考案であるシート状商品の取出装置の斜視図、図２はシート状商品の取出装置の背面側上部の斜視図、図３はシート状商品の取出装置の商品ホルダーの背面側斜視図、図４はシート状商品の取出装置の商品ホルダーの正面側斜視図、図５はシート状商品の取出装置の背面扉に取り付ける鍵の分解図、図６はシート状商品の取出装置の金庫に取り付ける鍵の分解図、図７はシート状商品の取出装置の背面側から見た斜視図及び一部拡大図、図８はシート状商品の取出装置の背面側から見た斜視図及び一部拡大図、図９シート状商品の取出装置の背面側上部の斜視図及び正面側上部の斜視図である。【００１１】  図１から図９に示すように、本考案であるシート状商品の取出装置１は、シート状商品を販売する取出装置であって、本体２と、メック４と、商品ホルダー６と、商品ケース１２とからなる。【００１２】  前記本体２は、箱形で正面に広告と商品の取出口２ｈ及びメック挿通孔２ｄを備え、背面に背面扉２ｂを備えた本体である。また、前記本体２の下端には末広がりの土台部２ａが連設されており、前記土台部２ａにより本体２の転倒を防止している。【００１３】  また、本体正面に広告３ｂを設けるため一辺が開口した略コの字状の広告差込枠２ｃを備えており、前記開口から広告差込枠２ｃ内に広告３ｂを差込み、販売する商品の内容を知らせる事ができる。尚、前記広告差込枠２ｃに広告３ｂを直接差し込んでも構わないが、後述する広告ホルダー３を使用してもよい。【００１４】  図２及び図５に示すように、前記背面扉２ｂは平板状で一辺を前記本体の背面に形成した開口の一辺と蝶番により開閉可能に取り付けられており、前記蝶番を取り付けた辺と対向する辺の中央近くに設置孔１１ｂを穿設し、前記設置孔１１ｂに背面扉２ｂの外面から鍵本体１１ｃを取り付けている。【００１５】  前記設置孔１１ｂに挿入して取り付けられた前記鍵本体１１ｃは背面扉２ｂの内面側からナット１１ｄ、カム１１ｅ、ベロ１１ｆ、座金１１ｇを取付け、最後にナット１１ｈで締められている。【００１６】  前記ベロ１１ｆは、横長の略楕円形状をしており、前記鍵本体１１ｃに鍵を差込み、下記本体１１ｃの内部を回転させると前記ベロ１１ｆも回転し、背面扉２ｂの開閉を制御する事ができる。尚、前記ベロ１１ｆの回転は９０℃の範囲であり、前記背面扉２ｂの縦辺に対して平行から垂直の間である。【００１７】  図１に示すように、前記メック挿入孔２ｄの周囲に設けられた孔は、ネジ穴２ｅ、２ｇ及び取付孔２ｆである。【００１８】  図１に示すように、前記メック４は、長手方向の両側面が起立し背面に取付板４ｄを備えたガイド枠４ｇと、前記ガイド枠４ｇ内に前後にスライド可能に設置され後端部を前記取付板４ｄの後方から突出させた突出板４ｅと前記突出板４ｅの後端の上面に上方に向かって取り付けたＬ字プレート４ｆとを備え上面中央部に硬貨投入孔４ｃを備えるスライド部４ａとからなる。【００１９】  前記スライド部４ａの長手方向の先端（前記本体２とは反対側の端部）には持ち手４ｂが取り付けられており、前記持ち手４ｂの上部はスライド部４ａの上面よりもやや突出していることが好適である。このようにすることで、前記スライド部４ａの前後操���がしやすくなる。【００２０】  前記メック４は、前記取付板４ｄからＬ字プレート４ｆを取り付けた後端部側を前記本体２のメック挿通孔２ｄに挿通して本体２に取り付けられ、前記取付板４ｄから前面部側は本体２から突出している。前記メック４の突出部分には、メックカバー５が被せられ、前記メック４が保護された状態となっている。【００２１】  前記メックカバー５は、長手方向の両側面と前面が起立し、背面側に背面取付部５ｃを備えている。また、前面の中央は上面から略コの字状の大きく開口している。この開口の横幅は、前記メック４の持ち手４ｂの横幅よりも小さく、従って、メックカバー５内に位置するメック４の持ち手４ｂは、メックカバー５の前面から飛び出すことはない。【００２２】  前記背面取付部５ｃの上部及び下部には前記本体２のネジ穴２ｅと同数のネジ穴５ａが形成されており、本体２にメック４を取付け、前記メック４にメックカバー５を被せた後、前記本体２のネジ穴２ｅにメックカバー５のネジ穴５ａを合わせて、ネジ留めする。【００２３】  前記商品ホルダー６は、略長方形状の２つのスライド孔６ｄを平行且つ間隔を設けて形成した平板状の台座部６ａと、前記台座部６ａの対向する各側辺から垂下する金庫設置枠６ｃと、上面、底面及び背面が無い枠で、正面の下部に間隙６ｈを設けて前記台座部６ａの上面に垂設される２つの商品設置枠６ｂと、前記スライド孔６ｄの上面にスライド孔６ｄと交差する状態で設置される略長方形状のガイドプレート７と、前記スライド孔６ｄの下面の前記ガイドプレート７と重なる位置に設置され前記ガイドプレート７と連結される第一ガイド８と、前記第一ガイド８の下に重ねられ四隅に下方に向かって垂直に脚９ａを設け前記第一ガイド８と共に前記ガイドプレート７に連結され第二ガイド９と、前記金庫設置枠６ｃにスライド可能に設置される金庫１１とからなり、前記本体２の各部屋に設置される。【００２４】  前記ガイドプレート７、第一ガイド８及び第二ガイド９は留め具１０により連結されており、前記ガイドプレート７と第一ガイド８で前記スライド孔６ｄの周囲にあたる台座部６ａを挟んだ状態となっている。従って、ガイドプレート７は台座部６ａの上面側をスライド孔６ｄに添ってスライドし、第一ガイド８及び第二ガイド９は台座部６ａの下面側をスライド孔６ｄに添ってスライドする。【００２５】  前記台座部６ａの正面側（本体２の正面側に当たる面）の辺には横長の固定プレート６ｅが垂下して設けられており、前記固定プレート６ｅには複数のネジ穴６ｆが穿設されている。【００２６】  図７に示すように、前記商品ホルダー６は、本体２の各部屋に設置される際に、前記ネジ穴６ｆと前記メックメック４の取付板４ｄに設けたネジ孔と前記本体２の取付孔２ｆの位置を合わせ、ホルダー６、取付板４ｄ及び本体２を留めネジ１３で一括ネジ留めする。尚、符号１３ａは座金を示しており、符号１３ｂはワッシャを示している。【００２７】  図４に示すように、前記商品設置枠６ｂの正面側（本体２の正面側に当たる面）の下部には、樹脂プレート６ｇが取り付けられている。【００２８】  図６に示すように、前記金庫１１は、上面が開口した箱１１ａからなり、背面側の面（本体２の背面側���即ち前記背面扉２ｂ側に位置する面）は、他の側面よりも約二倍程度の高さがあり、設置孔１１ｂを形成している。【００２９】  前記設置孔１１ｂにも前記箱１１ａの外面側から鍵本体１１ｃが取り付けられており、前記設置孔１１ｂに挿入して取り付けられた前記鍵本体１１ｃは箱１１ａの内面側からナット１１ｄ、カム１１ｅ、ベロ１１ｆ、座金１１ｇを取付け、最後にナット１１ｈで締められている。【００３０】  前記ベロ１１ｆは、横長の略楕円形状をしており、前記鍵本体１１ｃに鍵を差込み、下記本体１１ｃの内部を回転させると前記ベロ１１ｆも回転し、箱１１ａの開閉を制御する事ができる。尚、前記ベロ１１ｆの回転は９０℃の範囲であり、前記箱１１ａの背面側の面の縦辺に対して平行から垂直の間である。【００３１】  図８に示すように、前記商品ケース１２は、二枚の板を重ねて一辺同士を連結し、前記板同士の間に前記商品１２ａを挟んで前記商品ホルダー６に積み重ねて格納される。【００３２】  積み重ねられた商品１２ａ、１２ａ、１２ａ・・・の最上部には、前記商品ケース１２の一枚の板と同大のおもり１２ｂが載せられ、前記商品１２ａ、１２ａ、１２ａ・・・は常に下方に押し下げられて状態で前記商品設置枠６ｂ内に収納されている。【００３３】  図９に示すように、前記広告ホルダー３は、本体２の前面に設けた広告差込枠２ｃに挿入する広告を保護すると同時に広告の取り替え等を簡単にするためのホルダーである。【００３４】  前記広告ホルダー３は、四角形の枠体で、中央に枠体を左右に二等分する中枠を設けている。前記の二等分された各枠の中に本考案が販売する商品に関する広告３ｂ、３ｂを嵌め込み、その上に保護パネル３ａを添えた状態で前記広告差込枠２ｃ内に挿入する。尚、前記保護パネル３ａは無色透明であることが好適である。【００３５】  図９に示すように、本体２の広告差込枠２ｃを設けた面の裏面にはパネルロック３ｃが取り付けられており、前記パネルロック３ｃには更に操作部３ｄが取り付けられている。【００３６】  前記パネルロック３ｃは、前記広告ホルダー３を固定するための部材で、前述の通り広告３ｂを本体２に設置した後、操作部３ｄを回転させてパネルロック３ｃを締めることで広告ホルダー３が固定される。【００３７】  次に本考案であるシート状商品の取出装置１が商品を排出する動きを説明する。図１及び図３に示すように、前記Ｌ字プレート４ｆの起立部分は前記第二ガイド９の脚９ａ間に係止されており、前記スライド部４ａを前記本体２の背面側へ押すことにより、前記第二ガイド９及び前記第二ガイド９に連結されている前記ガイドプレート７並びに第一ガイド８が同方向に移動し、同時に積み重ねられて一番下に位置する前記商品ケース１２の背面に前記ガイドプレート７の正面側の辺が係止され、前記スライド部４を元の位置に引き戻すときに前記ガイドプレート７が前記商品ケース１２を前記取出口２ｈから押し出す。【００３８】  前記スライド部４ａは通常、スライドができないようにロックされているが、スライド部４ａに設けた硬貨投入口４ｃに予め定めた金額を投入するとスライド部４ａのロックが解除され、上述のようにスライド部４ａを本体２に向かって押すことが出来る。【００��９】  本体２側に押されたスライド部４ａの一端には、既述の通りＬ字プレート４ｆが起立して取り付けられており、このＬ字プレート４ｆの起立部分は更に前記第二ガイド９の脚９ａ間に位置している。従って、前述の通りスライド部４ａを本体２側に向かってスライドさせるに伴い第二ガイド９もスライド孔６ｄの後部側（本体２の背面側）に向かってスライドし、更に前記第二ガイド９は第一ガイド８を介してガイドプレート７に連結されているため、前記ガイドプレート７もスライド孔６ｄの後部側（本体２の背面側）にスライドする。【００４０】  前記ガイドプレート７はスライド部４ａをスライドさせる前は、商品設置枠６ｂ内に重ねて収納されている商品ケース１２の一番下に位置しており、以上のようにスライド部４ａを操作して前記ガイドプレート７がスライド孔６ｄの後部側（本体２の背面側）に移動すると、前記ガイドプレート７は商品ケース１２の下にある状態から外れ、それと同時に商品ケース１２は前記おもり１２ｂにより下方に移動する。【００４１】  そして、前記ガイドプレート７の正面側の辺（本体２の前面側に位置する辺）は、一番下に位置する前記商品ケース１２の背面側の辺（本体２の背面側に位置する辺）に係止され、この状態で前記スライド部４ａを元の位置に引き戻すと前記ガイドプレート７は前記商品ケース１２を一つだけ押しながら元の位置に戻る。【００４２】  前記ガイドプレート７に押された一枚の商品ケース１２は前記間隙６ｈを通り、前記取出口２ｈから排出される。
【産業上の利用可能性】
【００４３】  本考案であるシート状商品の取出装置は、シート状の写真やシール等を折り曲げたり、丸めたりすることなく綺麗な状態で収納及び排出することが出来るため、これまで販売することが難しかったシート状の商品を販売することができ、商品の取出装置を使用する多くの領域に多大な貢献をもたらす。
【符号の説明】
【００４４】１      シート状商品の取出装置２      本体２ａ    土台部２ｂ    背面扉２ｃ    広告差込枠２ｄ    メック挿通孔２ｅ    ネジ穴２ｆ    取付孔２ｇ    ネジ穴２ｈ    取出口３      広告ホルダー３ａ    保護パネル３ｂ    広告３ｃ    パネルロック３ｄ    操作部４      メック４ａ    スライド部４ｂ    持ち手４ｃ    硬貨投入口４ｄ    取付板４ｅ    突出板４ｆ    Ｌ字プレート４ｇ    ガイド枠５      メックカバー５ａ    ネジ穴５ｂ    カバー本体５ｃ    背面取付部６      商品ホルダー６ａ    台座部６ｂ    商品設置枠６ｃ    金庫設置枠６ｄ    スライド孔６ｅ    固定プレート６ｆ    ネジ穴６ｇ    樹脂プレート６ｈ    間隙７      ガイドプレート８      第一ガイド９      第二ガイド１０    留め具１１    金庫１１ａ  箱１１ｂ  設置孔１１ｃ  鍵本体１１ｄ  ナット１１ｅ  カム１１ｆ  ベロ１１ｇ  座金１１ｈ  ナット１２    商品ケース１２ａ  商品１２ｂ  おもり１３    留めネジ１３ａ  座金１３ｂ  ワッシャ１４    留めネジ
【図１】
0003172409.tif 000003
【図２】
0003172409.tif 000004
【図３】
0003172409.tif 000005
【図４】
0003172409.tif 000006
【図５】
0003172409.tif 000007
【図６】
0003172409.tif 000008
【図７】
0003172409.tif 000009
【図８】
0003172409.tif 000010
【図９】
0003172409.tif 000011